(57)【特許請求の範囲】
【請求項１】
略平行に配置される一対の棒状部材を備えており、上記一対の棒状部材間に配置されるようにして複数の編み目を上記棒状部材の長さ方向に沿って連続形成させていく過程で、上記各棒状部材を通す２つのループが各編み目のそれぞれと連続させるようにして形成されてなるヘアピンレースを作成するためのヘアピン編み器であって、
上記各棒状部材のそれぞれに対して、その端部の所定の長さ範囲を着脱可能に支持するように構成された支持部材が備えられており、
上記支持部材は、閉方向に付勢されつつ上記各棒状部材と直交する軸周りに開閉回動可能であり、かつ、上記各棒状部材が係合可能な係合可能な係合溝を有している一対の挟持部を備えており、
上記各棒状部材は、上記一対の挟持部が閉状態をとるとき、上記所定の長さ範囲が上記係合溝に係合することによって上記一対の挟持部間に挟持され、かつ、上記一対の挟持部が開状態をとるとき、上記係合溝との係合状態が解除されることによって上記支持部材から取り外される構成とされていることを特徴とする、ヘアピン編み器。
【請求項２】
上記一対の挟持部には、上記一対の棒状部材間の間隔を選択的に変更可能なように、上記係合溝が複数形成されている、請求項１に記載のヘアピン編み器。
【請求項３】
上記支持部材には、上記各棒状部材の上記所定の長さ範囲を支持した際における上記各棒状部材の端部と対応する位置に貫通形成された窓部が備えられている、請求項１または２に記載のヘアピン編み器。
【請求項４】
上記支持部材には、上記一対の棒状部材間の中央線が通る位置に貫通形成された孔部と、ヘアピンレースの材料となる材料糸の端部を上記支持部材の外部表面との間で挟持するように形成された糸保持手段とが備えられている、請求項１ないし３のいずれかに記載のヘアピン編み器。
【請求項５】
請求項１ないし４のいずれかに記載のヘアピン編み器を用いて、上記一対の棒状部材間に配置されるようにして複数の編み目を上記棒状部材の長さ方向に沿って連続形成させていく過程で、上記各棒状部材を通す２つのループを各編み目のそれぞれと連続させることにより、ヘアピンレースを作成する方法であって、
編み目およびループを形成する際には、上記ヘアピン編み器は、上記一対の棒状部材の一方端部側が上記支持部材により支持された状態で使用され、
上記一対の棒状部材が上記ループで満たされた際には、上記一対の棒状部材の他端部側に、上記支持部材と同様の構成を有する第２の支持部材を取り付けて、上記支持部材を取り外し、上記各棒状部材の最も他端部側に位置するループから所定個数のループを残してそれ以外のループを抜き取り、上記支持部材を再び上記一対の棒状部材の一方端部側に取りつけた後、上記第２の支持部材を取り外すことによって、編み目およびループが再び形成可能な状態とされることを特徴とする、ヘアピンレース作成方法。
【発明の詳細な説明】
【０００１】
【発明の属する技術分野】
本願発明は、ヘアピンレースを作成するためのヘアピン編み器に関する。
【０００２】
【従来の技術】
一般に、レースとは、糸を撚り合わせたり、編み合わせたり、あるいは生地に刺繍するなどして、透孔を有するように形成された布地のことであって、そのうち、糸のみを材料として透孔を有するように形成された編地のことをレース編みという。一般にレース編みは、かぎ針を用いて、複数の編み目を形成していく過程において、上記した透孔となる比較的大きな編み目（以下、ループという）を適所に配置するようにして作成される。編み目およびループを組み合わせることによって様々な模様を有するレース編みが作成されるが、その中でも、複数の編み目を直線状に連続形成していく過程において、各編み目のそれぞれに対して、その編み目と連続するようにかつこれを挟むようにして２つのループを形成したものをヘアピンレースという。
【０００３】
ヘアピンレースは、かぎ針の他に、略平行に配置された一対の棒状部材を有するヘアピン編み器を用いて作成される。図９に従来のヘアピン編み器の一例を示す。このヘアピン編み器１００は、一対の棒状部材１ａ，１ｂの一端部どうしが一体的に接続されることにより、全体としてＵ字状（すなわち、ヘアピン状）に形成された編み器本体１１０を有している。このようなヘアピン編み器１００では、各ループの大きさを略均等とするために、一対の棒状部材１ａ，１ｂの間隔Ｗを一定に保つステー１０９を備えているのが一般的である。ステー１０９は、図９に示すように、一対の棒状部材１ａ，１ｂの間隔Ｗに対応する長さｄを有する板状部１９１の両端部に、各棒状部材１ａ，１ｂに套嵌可能な筒部１９２ａ，１９２ｂを設けることによって形成されている。
【０００４】
このヘアピン編み器１００を用いてヘアピンレースを作成するには、まず、材料糸５の一端部５ａで形成した輪の中に材料糸５の他端部５ｂを通し、この輪を絞りつつ他端部５ｂにおける輪の中に通した部分で第１のループＬ1を形成する。このとき、上記一端部５ａにおける結び目５ｃから先端の部分を適切な長さに残しておく。
【０００５】
次いで、図１０（ａ）に示すように、上記第１のループＬ1に一方の棒状部材１ａを通し、上記材料糸５の他端部５ｂをもう一方の棒状部材１ｂに巻く。そして、他端部５ｂを引っ張って、上記結び目５ｃが一対の棒状部材１ａ，１ｂの略中間位置に配置されるようにする。
【０００６】
次いで、上記第１のループＬ1に対してかぎ針Ｎを下方から通し、材料糸５の他端部５ｂにかぎ針ＮのフックＦを引っ掛けつつ、これを第１のループＬ1から引き出す。これにより、棒状部材１ｂが通る第２のループＬ2と、第１のループＬ1を通った第１の輪Ｃ1（図１０（ｂ）参照）が形成される。
【０００７】
次いで、図１０（ｂ）に示すように、上記第１の輪Ｃ1にかぎ針Ｎを通し、材料糸５の他端部５ｂにフックＦを引っ掛けつつ、これを第１の輪Ｃ1から引き出す。これにより、第１の輪Ｃ1が編み目となるとともに第１の輪Ｃ1に通った第２の輪Ｃ2（図１０（ｃ）参照）が形成される。
【０００８】
次いで、図１０（ｃ）に示すように、上記第２の輪Ｃ2にかぎ針Ｎを通し、フックＦが下となるようにかぎ針Ｎを立てた状態で、一対の棒状部材１ａ，１ｂの配置が入れ替わるように、ヘアピン編み器１００を回転させる（編み器回転工程）。このとき、図１０（ｄ）に示すように、材料糸５の他端部５ｂが棒状部材１ａに巻くような方向に、ヘアピン編み器１００を回転させる。
【０００９】
次いで、上記第２のループＬ2に対してかぎ針Ｎを下方から通し、材料糸５の他端部５ｂにかぎ針ＮのフックＦを引っ掛けつつ、これを第２のループＬ2から引き出す（ループ形成工程）。これにより、棒状部材１ａが通る第３のループＬ3と、第２のループＬ2を通った第３の輪Ｃ3（図１０（ｅ）参照）が形成される。
【００１０】
次いで、図１０（ｅ）に示すように、上記第３の輪Ｃ3にかぎ針Ｎを通し、材料糸５の他端部５ｂにフックＦを引っ掛けつつ、これを第３の輪Ｃ3から引き出す（編み目形成工程）。これにより、第３の輪Ｃ3が編み目となるとともに第３の輪Ｃ3に通った第４の輪が形成される。
【００１１】
その後、上記した編み器回転工程、ループ形成工程および編み目形成工程を順次繰り返して、図１０（ｆ）に示すように、所望の個数のループおよび編み目を形成していく。このようにして、ヘアピンレース５０は、各ループに各棒状部材１ａ，１ｂが通るように形成される。このとき、編み器本体１１０が一体的に形成されており、またステー１０９が棒状部材１ａ，１ｂに套嵌されているので、ループは、棒状部材１ａ，１ｂの下方から順にたまっていく。
【００１２】
【発明が解決しようとする課題】
ここで、棒状部材１ａ，１ｂがループで満たされた場合、以下の処置をしなければならない。すなわち、まず、図１１に示すように、棒状部材１ａ，１ｂからヘアピンレース５０（ヘアピンレース中間体５０′）を完全に抜き取り、そして、図１２に示すように、新しいループからたとえば２個のループＬn，Ｌn-1をそれぞれ棒状部材１ａ，１ｂに戻す。これにより、編み目およびループの形成を再開することができる。
【００１３】
しかしながら、棒状部材１ａ，１ｂから完全に抜き取られたヘアピンレース中間体５０′では、各ループは、支持されていない不安定な状態となるので、これを再び棒状部材１ａ，１ｂに戻す作業が困難なものとなっていた。また、ヘアピンレース中間体５０′を棒状部材１ａ，１ｂから抜き取った際に、編みかけの編み目がほどけてしまうこともあった。これらのことにより、ヘアピンレース５０を効率的に作成できないという問題が生じていた。
【００１４】
また、ヘアピンレースを作成する過程において、ヘアピンレース中間体５０′は、各棒状部材１ａ，１ｂに固定されていないため、かぎ針Ｎを操作する際に、棒状部材１ａ，１ｂに沿ってスライド移動してしまい、編み目およびループの形成が困難となる場合がある。
【００１５】
特に、ヘアピンレース５０を作成する初期の段階、すなわちヘアピンレース中間体５０′がまだ比較的短い場合においては、上記したヘアピンレース中間体５０′のスライド移動を防止するために、ヘアピンレース中間体５０′のループの部分を棒状部材１ａ，１ｂとともに把持すれば、手が障害物となってかぎ針Ｎの操作が困難となる。このため、たとえば上記結び目５ｃの近傍を指先で把持しつつ、指の根元や掌で棒状部材１ａ，１ｂを把持するようにして、ヘアピン編み器１００を保持しなければならない。したがって、ヘアピン編み器１００を保持する手（指）が無理な態勢となり、疲れてしまう。
【００１６】
さらに、上記構成を有する従来のヘアピン編み器１００では、上述したように、編み器本体１１０が全体としてＵ字状とされているため、一対の棒状部材１ａ，１ｂ間の間隔Ｗが固定されてしまう。したがって、所望の幅Ｄ（図１１参照）を有するヘアピンレースを作成したい場合においては、一対の棒状部材１ａ，１ｂ間の間隔Ｗおよび筒部１９２ａ，１９２ｂ間の長さｄがそれぞれ上記幅Ｄに対応している編み器本体１１０およびステー１０９を有するヘアピン編み器１００を用意しなければならない。換言すれば、従来のヘアピン編み器は、汎用性に乏しい。
【００１７】
本願発明は、上記した事情のもとで考え出されたものであって、ヘアピンレースを効率的に作成することができるヘアピン編み器を提供することをその課題とする。
【００１８】
【発明の開示】
上記課題を解決するため、本願発明では、次の技術的手段を講じている。
【００１９】
すなわち、本願発明の第１の側面により提供されるヘアピン編み器は、略平行に配置される一対の棒状部材を備えており、上記一対の棒状部材間に配置されるようにして複数の編み目を上記棒状部材の長さ方向に沿って連続形成させていく過程で、上記各棒状部材を通す２つのループが各編み目のそれぞれと連続させるようにして形成されてなるヘアピンレースを作成するためのヘアピン編み器であって、上記各棒状部材のそれぞれに対して、その端部の所定の長さ範囲を着脱可能に支持するように構成された支持部材が備えられており、上記支持部材は、閉方向に付勢されつつ上記各棒状部材と直交する軸周りに開閉回動可能であり、かつ、上記各棒状部材が係合可能な係合可能な係合溝を有している一対の挟持部を備えており、上記各棒状部材は、上記一対の挟持部が閉状態をとるとき、上記所定の長さ範囲が上記係合溝に係合することによって上記一対の挟持部間に挟持され、かつ、上記一対の挟持部が開状態をとるとき、上記係合溝との係合状態が解除されることによって上記支持部材から取り外される構成とされていることを特徴としている。
【００２０】
【００２１】
本願発明の第２の側面により提供されるヘアピンレース作成方法は、本願発明の第１の側面に係るヘアピン編み器を用いて、上記一対の棒状部材間に配置されるようにして複数の編み目を上記棒状部材の長さ方向に沿って連続形成させていく過程で、上記各棒状部材を通す２つのループを各編み目のそれぞれと連続させることにより、ヘアピンレースを作成する方法であって、編み目およびループを形成する際には、上記ヘアピン編み器は、上記一対の棒状部材の一方端部側が上記支持部材により支持された状態で使用され、上記一対の棒状部材が上記ループで満たされた際には、上記一対の棒状部材の他端部側に、上記支持部材と同様の構成を有する第２の支持部材を取り付けて、上記支持部材を取り外し、上記各棒状部材の最も他端部側に位置するループから所定個数のループを残してそれ以外のループを抜き取り、上記支持部材を再び上記一対の棒状部材の一方端部側に取りつけた後、上記第２の支持部材を取り外すことによって、編み目およびループが再び形成可能な状態とされることを特徴としている。
【００２２】
ここで、ループとは、レース編みの構成要素である透孔を形成するための、比較的大きな編み目のことであり、ヘアピンレースを作成する過程において、ループは、各棒状部材の一方端部側から順にたまっていく。
【００２３】
本願発明では、ヘアピンレースは、その作成途中において、上記一対の棒状部材がループで満たされた際にも、上記各棒状部材の最も他端部側に位置するループが常に支持された状態となり、上記一対の棒状部材から完全に抜き取られた状態とはならない。したがって、従来例のように、ヘアピンレースを再び棒状部材に戻すという困難な作業を行わなくてもよい。また、編みかけの編み目がほどけてしまうこともない。したがって、ヘアピンレースを効率的に作成することができる。
【００２４】
好ましい実施の形態においてはまた、上記一対の挟持部には、上記一対の棒状部材間の間隔を選択的に変更可能なように、上記係合溝が複数形成されている。したがって、このヘアピン編み器が１組あれば、異なる幅を有する複数種類のヘアピンレースを作成することができる。換言すれば、ヘアピン編み器の汎用性を向上させることができる。
【００２５】
好ましい実施の形態においてはさらに、上記支持部材には、上記各棒状部材の上記所定の長さ範囲を支持した際における上記各棒状部材の端部と対応する位置に貫通形成された窓部が備えられている。
【００２６】
このような構成によれば、上記窓部から上記棒状部材の端部を確認することによって、上記棒状部材の上記所定の長さ範囲を上記支持部材に対して確実に支持させることができる。したがって、ヘアピンレース作成中に、棒状部材が不安定になったりするのを防止することができる。
【００２７】
好ましい実施の形態においてはさらにまた、上記支持部材には、上記一対の棒状部材間の中央線が通る位置に貫通形成された孔部と、ヘアピンレースの材料となる材料糸の端部を上記支持部材の外部表面との間で挟持するように形成された糸保持手段とが備えられている。
【００２８】
このような構成によれば、ヘアピンレース作成の始めに、材料糸の先端部を上記孔部に通して上記糸保持手段に保持させておけば、ヘアピンレースが上記棒状部材に沿ってスライド移動するのを容易に防止することができる。したがって、編み目およびループを効率的に形成することができる。
【００２９】
本願発明のその他の特徴および利点については、以下に行う発明の実施の形態の説明から、より明らかになるであろう。
【００３０】
【発明の実施の形態】
以下、本願発明の好ましい実施の形態について、図面を参照して具体的に説明する。
【００３１】
図１は、本願発明に係るヘアピン編み器の一例を示す概略正面図、図２は、図１のII-II線に沿う断面図であり、（ａ）は閉状態を示す図、（ｂ）は開状態を示す図である。図３は、図１のIII-III線に沿う断面図である。図４ないし図８は、本願発明に係るヘアピン編み器の使用方法を説明するための図である。なお、これらの図において、従来例を示す図９ないし図１２に表された部材、部分等と同等のものにはそれぞれ同一の符号を付してある。
【００３２】
図１および図２に表れているように、このヘアピン編み器Ａは、基本的なヘアピン編み器の構成部材である、略平行に配置される一対の棒状部材１ａ，１ｂに加えて、これら一対の棒状部材１ａ，１ｂを支持するための支持部材２を備えており、この支持部材２は、各棒状部材１ａ，１ｂの端部における所定の長さ範囲ｔを着脱可能に支持するように構成されている。
【００３３】
上記各棒状部材１ａ，１ｂは、それぞれ、アルミニウムなどにより円柱状を呈するように形成されている。なお、棒状部材１ａと棒状部材１ｂとは同一のものが用いられている。
【００３４】
上記支持部材２は、図２に示すように、互いに開閉回動可能な一対の挟持部３ａ，３ｂを備えており、各挟持部３ａ，３ｂには、図１に示すように、各棒状部材１ａ，１ｂが係合可能な係合溝４がそれぞれ形成されている。
【００３５】
各挟持部３ａ，３ｂは、図１に示すように、平面視略長矩形状の挟持部本体３１ａ，３１ｂを有している。挟持部本体３１ａおよび挟持部本体３１ｂの基端部には、図２（ａ）および図２（ｂ）に示すように、半円柱状の接続凸部３２ａおよび半円筒内面状の接続溝３２ｂがそれぞれ形成されており、これらが互いに摺動可能に係合することによって、各挟持部本体３１ａ，３１ｂが基端部を中心として互いに開閉回動するように構成されている。
【００３６】
各挟持部本体３１ａ，３１ｂの外部表面には、図１、図２（ａ）および図２（ｂ）に示すように、その基端部から先端部に向かって延びる凹状溝部３３ａ，３３ｂがそれぞれ対応する位置に形成されており、凹状溝部３３ａ，３３ｂには、所定の弾性を有する樹脂などにより断面視略Ｃ字状に形成された付勢体３４が係合している。これにより、図２（ａ）に示すように、挟持部３ａ，３ｂは、常時閉状態をとるように付勢されている。一方、各挟持部本体３１ａ，３１ｂの基端部側には、端部に向かうにつれて互いに離間するように形成された把持部３５ａ，３５ｂがそれぞれ設けられており、図２（ｂ）に示すように、これらの把持部３５ａ，３５ｂを互いに当接させるように挟圧することによって、挟持部３ａ，３ｂ（挟持部本体３１ａ，３１ｂ）を開状態とすることができる。
【００３７】
上記係合溝４は、図１に示すように、一対の棒状部材１ａ，１ｂ間の間隔Ｗを選択的に変更可能なように、各挟持部３ａ，３ｂのそれぞれに対して複数形成されている。各係合溝４は、各挟持部本体３１ａ，３１ｂの内面に、それぞれ互いに対向するように延びる溝壁部４２ａ，４２ｂ（図２（ａ）および図２（ｂ）参照）を設けることによって形成される。各係合溝４は、各挟持部本体３１ａ，３１ｂの先端部に形成した開口部４１からその幅方向に延びるように、それぞれ平行に形成されており、その長さＬは、上記した所定の長さ範囲ｔと同等の長さとされている。挟持部本体３１ａに形成された係合溝４と挟持部本体３１ｂに形成された係合溝４とは、互いに対応するように配置されており、挟持部３ａ，３ｂが閉状態をとるとき、各棒状部材１ａ，１ｂは、上記所定の長さ範囲ｔが係合溝４に係合することによって、挟持部３ａ，３ｂ間に挟持される。
【００３８】
各係合溝４は、また、図３に示すように、棒状部材１ａ，１ｂと同等の内径を有する半円筒内面状に形成されており、各棒状部材１ａ，１ｂの端部における側面全域に対して密着することができる。これにより、各棒状部材１ａ，１ｂを確実に支持することができ、ヘアピンレース作成中に、誤って棒状部材１ａ，１ｂが脱落してしまうのを防止することができる。さらに、各係合溝４の内面に、ゴム材３９などを貼り付けることにより、各棒状部材１ａ，１ｂをより確実に支持するようにしてもよい。
【００３９】
また、上記支持部材２には、貫通形成された窓部２１が備えられており、この窓部２１は、支持部材２が各棒状部材１ａ，１ｂの上記所定の長さ範囲ｔを支持した際に上記各棒状部材の端部と対応するような位置に配置されている。すなわち、窓部２１は、図１に示すように、各係合溝４における基端部側の端部にそれぞれ形成されている。したがって、棒状部材１ａ，１ｂの所定の長さ範囲ｔを係合溝４に係合させた際には、窓部２１から棒状部材１ａ，１ｂの端部を確認することができる。換言すれば、棒状部材１ａ，１ｂが所定の長さ範囲ｔにわたって係合されているかどうかを確認するために窓部２１が形成されているのである。これにより、棒状部材１ａ，１ｂを所定の長さ範囲ｔにわたって確実に支持することができる。したがって、ヘアピンレースを作成中に、棒状部材１ａ，１ｂが誤って抜けたり、棒状部材１ａ，１ｂが不安定になったりするのを防止することができる。
【００４０】
さらに、上記支持部材２には、図１に示すように、上記一対の棒状部材１ａ，１ｂ間の中央線が通る位置に貫通形成された孔部２２が備えられている。この孔部２２は、円筒内面状に形成されており、後述するように、孔部２２に材料糸５を挿入する際に、これを容易に行うことができるようにされている。
【００４１】
さらにまた、上記支持部材２には、ヘアピンレースの材料となる材料糸の端部を上記支持部材２の外部表面との間で挟持するように形成された糸保持手段７が備えられている。本実施形態では、この糸保持手段７は、図１に示すように、上記付勢体３４の先端部３４ａから突出するように形成された棒状フック７２と、図２（ａ）および図２（ｂ）に示すように、この棒状フック７２に当接するようにして上記挟持部本体３１ａ，３１ｂの外部表面に形成された突起７１とを有しており、棒状フック７２に巻き付けられた材料糸が挟持部本体３１ａ，３１ｂとの間に挟み込まれるように保持され、かつ、これが棒状フック７２に沿って移動しても容易に抜けないように構成されている。
【００４２】
上記構成を有するヘアピン編み器Ａを用いて、ヘアピンレースを作成するには、上記一対の棒状部材１ａ，１ｂと、２つの上記支持部材２を用いる。
【００４３】
まず、一対の棒状部材１ａ，１ｂを支持部材２の一方（支持部材２Ａ）に取り付ける。より詳細には、まず、支持部材２Ａの把持部３５ａ，３５ｂを挟圧して一対の挟持部３ａ，３ｂを開状態にする。次に、挟持部３ａ（または挟持部３ｂ）の係合溝４に対して、各棒状部材１ａ，１ｂの一方端部を係合させる。このとき、上記所定の長さ範囲ｔが係合溝４に係合するようにする。そして、把持部３５ａ，３５ｂの挟圧力を解除することによって、各棒状部材１ａ，１ｂの一方端部を、両挟持部３ａ，３ｂの係合溝４に係合させ、一対の挟持部３ａ，３ｂ間に挟持させる。これにより、一対の棒状部材１ａ，１ｂを、互いに平行に並ぶように、かつそれらの端部を上記所定の長さ範囲ｔにわたって支持することができる。したがって、従来例のようにステー１０９がなくとも、各棒状部材１ａ，１ｂが撓むのを防止することができる。その結果、完成したヘアピンレース５０内において、ループの大きさを均等とすることができる。
【００４４】
次いで、材料糸５の一端部５ａで形成した輪の中に材料糸５の他端部５ｂを通し、この輪を絞りつつ他端部５ｂにおける輪の中に通した部分で第１のループＬ1を形成する。このとき、上記一端部５ａにおける結び目５ｃよりも先端の部分５ｄ（図４参照）の長さを比較的長くしておく。
【００４５】
次いで、図４に示すように、上記第１のループＬ1に一方の棒状部材１ａを通し、上記材料糸５の他端部５ｂをもう一方の棒状部材１ｂに巻いた後、他端部５ｂを引っ張って、上記結び目５ｃが一対の棒状部材１ａ，１ｂの略中間位置に配置されるようにする。このとき、上記支持部材２には、上述したように、上記孔部２２が上記一対の棒状部材１ａ，１ｂ間の中央線が通る位置に貫通形成されているので、この孔部２２を目印とすることにより、結び目５ｃの位置決めを容易に行うことができる。なお、この工程は、従来のヘアピン編み器１００を使ってヘアピンレースを作成する手順における、図１０（ａ）を用いて説明した工程に対応する工程である。
【００４６】
次いで、図４に示すように、上記した材料糸５の先端の部分５ｄを孔部２２に通し、上記糸保持手段７に保持させる。具体的には、たとえば、この先端の部分５ｄを結んで輪５ｄ′を形成し、この輪５ｄ′が上記突起７１よりも基端側に位置するようにして、これに上記棒状フック７２を通したり、あるいは、材料糸５の先端の部分５ｄを、棒状フック７２における上記突起７１よりも基端側の部位に巻き付けたりする。
【００４７】
この後、従来例について、図１０（ｂ）ないし図１０（ｆ）を用いて説明した手順と同様の手順により、編み目とループとを順次形成していき、ヘアピンレース５０を形成する。
【００４８】
ここで、ヘアピンレース中間体５０′がまだ比較的短い場合においては、従来例では、たとえば上記結び目５ｃの近傍を指先で把持しつつ、指の根元や掌で棒状部材１ａ，１ｂを把持するようにして、ヘアピン編み器１００を保持しなければ、ヘアピンレース中間体５０′のスライド移動を防止することができなかったが、このヘアピン編み器Ａを用いれば、上記したように、材料糸５の先端の部分５ｄが、孔部２２を通り、上記糸保持手段７に保持されているので、ヘアピン編み器Ａを保持する手（指）が無理な態勢となることなく、ヘアピンレース中間体５０′のスライド移動を容易に規制することができる。したがって、編み目およびループを容易に形成していくことができる。
【００４９】
なお、ヘアピンレース中間体５０′が比較的長くなった場合では、たとえば、棒状部材１ａ，１ｂにおけるループが通っている部分を把持したり、あるいは、後述するようにしてヘアピンレース中間体５０′を棒状部材１ａ，１ｂから抜き取った際に、抜き取ったヘアピンレース中間体５０′を棒状部材１ａ，１ｂに重ね合わせて把持したりするだけで、ヘアピンレース中間体５０′のスライド移動を容易に防止することができる。したがって、ヘアピンレース中間体５０′が比較的長くなれば、上記した糸保持手段７の材料糸５に対する保持を解除すればよい。
【００５０】
次に、上記ヘアピン編み器Ａの作用について説明する。
【００５１】
ヘアピンレース作成する場合において棒状部材１ａ，１ｂがループで満たされた際には、以下の処理を行えばよい。
【００５２】
すなわち、まず、図５に示すように、各棒状部材１ａ，１ｂの他端部側１２ａ，１２ｂに他方の支持部材２Ｂを取り付ける。支持部材２Ｂの取付は、棒状部材１ａ，１ｂを支持部材２Ａに取り付ける場合について上記したのと同様の方法により行う。
【００５３】
次いで、図６に示すように、上記支持部材２Ａを棒状部材１ａ，１ｂの一方端部側１１ａ，１１ｂから取り外す。この場合、支持部材２Ａの把持部３５ａ，３５ｂを挟圧し、各棒状部材１ａ，１ｂと係合溝４との係合状態を解除するだけで、支持部材２Ａを取り外すことができる。このとき、このヘアピン編み器Ａでは、上述したように、ステー１０９が備えられていないため、棒状部材１ａ，１ｂの一方端部側１１ａ，１１ｂが開放した状態となる。
【００５４】
次いで、図７に示すように、ヘアピンレース中間体５０′の新しいループ（すなわち、各棒状部材１ａ，１ｂの最も他端部側１２ａ，１２ｂに位置するループ）からたとえば２個のループＬn，Ｌn-1を残して、それ以外のループを棒状部材１ａ，１ｂの一方端部側１１ａ，１１ｂから抜き取る。このとき、上述したように、棒状部材１ａ，１ｂの一方端部側１１ａ，１１ｂが開放した状態であるため、ループＬn，Ｌn-1以外のループを棒状部材１ａ，１ｂの一方端部側１１ａ，１１ｂから抜き取る作業を容易に行うことができる。
【００５５】
そして、図８に示すように、再び上記支持部材２Ａを棒状部材１ａ，１ｂの一方端部側１１ａ，１１ｂに取り付け、さらに上記支持部材２Ｂを棒状部材１ａ，１ｂの他端部側１２ａ，１２ｂから取り外せば、編み目およびループの形成を再開することができる。
【００５６】
この過程において、ヘアピンレース中間体５０′は、棒状部材１ａ，１ｂから完全に抜き取られることがない。したがって、従来例のように、完全に抜き取られたヘアピンレース中間体５０′を再び棒状部材１ａ，１ｂに戻すという困難な作業が必要でない。また、このヘアピン編み器Ａを用いれば、上記ループＬn，Ｌn-1が常に各棒状部材１ａ，１ｂで支持されることとなるので、従来例のように、ヘアピンレース中間体５０′を棒状部材１ａ，１ｂから完全に抜き取ることによって編みかけの編み目（すなわち、各棒状部材１ａ，１ｂに対して最も他端部側に位置する編み目）がほどけてしまうこともない。これらのことにより、ヘアピンレースを効率的に作成することが可能となる。
【００５７】
この後、ヘアピンレース中間体５０′における棒状部材１ａ，１ｂから抜き取った部分がさらに長くなった際に、その先端にあるループ、すなわち古いループＬ1、Ｌ2（図８参照）を上記糸保持手段７に保持しておけば、ヘアピン編み器Ａを回転させた際（図１０（ｃ）参照）に、ヘアピンレース中間体５０′がねじれてしまうのを防止することができる。
【００５８】
また、このヘアピン編み器Ａでは、上述したように、一対の挟持部３ａ，３ｂに対して複数の係合溝４が形成されているので、一対の棒状部材１ａ，１ｂを係合させる係合溝４を任意に選択することによって、一対の棒状部材１ａ，１ｂ間の間隔Ｗを所望の値に設定することができる。したがって、異なる幅を有する複数種類のヘアピンレースを作成したい場合においては、従来例のように、複数種類の編み器本体１１０およびステー１０９を用意する必要がなく、一対の棒状部材１ａ，１ｂおよび２つの支持部材２のみを用意すればよい。換言すれば、ヘアピン編み器Ａの汎用性を向上させることができる。
【００５９】
もちろん、この発明の範囲は上述した実施の形態に限定されるものではない。たとえば、本実施形態において、ヘアピンレース５０は、各編み目のそれぞれに対してループを形成することによって作成されるが、これに限らず、作成されるヘアピンレースとしては、任意の編み目に対してのみループを形成することによって作成されたものとしてもよい。
【図面の簡単な説明】
【図１】  本願発明に係るヘアピン編み器の一例を示す概略正面図である。
【図２】  図１のII-II線に沿う断面図であり、（ａ）は閉状態を示す図、（ｂ）は開状態を示す図である。
【図３】  図１のIII-III線に沿う断面図である。
【図４】  本願発明に係るヘアピン編み器の使用方法を説明するための図である。
【図５】  本願発明に係るヘアピン編み器の使用方法を説明するための図である。
【図６】  本願発明に係るヘアピン編み器の使用方法を説明するための図である。
【図７】  本願発明に係るヘアピン編み器の使用方法を説明するための図である。
【図８】  本願発明に係るヘアピン編み器の使用方法を説明するための図である。
【図９】  従来のヘアピン編み器の一例を示す概略斜視図である。
【図１０】  （ａ）ないし（ｆ）はヘアピンレースの作成手順を示す一連の図である。
【図１１】  従来のヘアピン編み器の使用方法を説明するための図である。
【図１２】  従来のヘアピン編み器の使用方法を説明するための図である。
【符号の説明】
１ａ，１ｂ  棒状部材
２，２Ａ    支持部材
２Ｂ        （第２の）支持部材
３ａ，３ｂ  挟持部
４          係合溝
５          材料糸
７          糸保持手段
２１        窓部
２２        孔部
５０        ヘアピンレース
Ａ          ヘアピン編み器
【図１】
0004369636.tif 000002
【図２】
0004369636.tif 000003
【図３】
0004369636.tif 000004
【図４】
0004369636.tif 000005
【図５】
0004369636.tif 000006
【図６】
0004369636.tif 000007
【図７】
0004369636.tif 000008
【図８】
0004369636.tif 000009
【図９】
0004369636.tif 000010
【図１０】
0004369636.tif 000011
【図１１】
0004369636.tif 000012
【図１２】
0004369636.tif 000013